(57)【要約】【課題】論理ループを生じることなく論理リングネットワーク形状を変更する。【解決手段】変更部は、設定を変更する対象である論理通信路に関する第１情報、論理通信路の移設元となる論理リングネットワークに関する第２情報、論理通信路の移設先となる論理リングネットワークに関する第３情報、及び自装置に設定されている論理リングネットワークに関する第４情報に基づき、論理リングネットワークごとに対応する論理通信路に関する設定を変更する。設定部は、第１情報、第２情報、第３情報及び第４情報に基づき、第一の論理リングネットワークが設定された全てのポートにおいて論理リングネットワークと論理通信路とに関する設定を削除し、この設定の削除に引き続き、第二の論理リングネットワークが設定された全てのポートにおいて論理リングネットワークと論理通信路とに関する設定を追加する。【選択図】図６
2018046371.tif 000002
【特許請求の範囲】
【請求項１】
論理リングネットワークを形成し、前記論理リングネットワークにおいて通信を可能とする論理通信路を設定するリングプロトコルを適用した、第一の論理リングネットワークまたは第二の論理リングネットワークの少なくともいずれか一方に含まれるリングノード装置であって、
設定を変更する対象である論理通信路に関する第１情報、論理通信路の移設元となる論理リングネットワークに関する第２情報、及び論理通信路の移設先となる論理リングネットワークに関する第３情報を含む設定変更指示を受信し、前記第１情報、前記第２情報、前記第３情報、及び自装置に設定されている論理リングネットワークに関する第４情報に基づき、論理リングネットワークごとに対応する論理通信路に関する設定を変更する変更部と、
前記第１情報、前記第２情報、前記第３情報及び前記第４情報に基づき、前記第一の論理リングネットワークが設定された全てのポートにおいて論理リングネットワークと論理通信路とに関する設定を削除し、この設定の削除に引き続き、前記第二の論理リングネットワークが設定された全てのポートにおいて論理リングネットワークと論理通信路とに関する設定を追加する設定部を備えるリングノード装置。
【請求項２】
受信した前記設定変更指示を解析し前記第１情報、前記第２情報、及び前記第３情報を抽出する設定変更指示解析部と、
前記第１情報、前記第２情報、及び前記第３情報に応じて、論理リングネットワークと、論理通信路またはリングポートと、の対応付けの設定を変更する設定変更部とをさらに備える請求項１に記載のリングノード装置。
【請求項３】
リングプロトコルを適用した論理リングネットワークを構築する複数のノード装置を備えたリングネットワークシステムにおいて、
設定を変更する対象である論理通信路に関する第１情報、論理通信路の移設元となる論理リングネットワークに関する第２情報、及び論理通信路の移設先となる論理リングネットワークに関する第３情報を含む設定変更指示を送信し、前記第１情報、前記第２情報、前記第３情報及び自装置に設定されている論理リングネットワークに関する第４情報に基づき、第一の論理リングネットワークが設定された全てのポートにおいて論理リングネットワークと論理通信路とに関する設定を削除し、この設定の削除に引き続き、第二の論理リングネットワークが設定された全てのポートにおいて論理リングネットワークと論理通信路とに関する設定を追加する代表ノード装置と、
前記設定変更指示を受信し、前記第１情報、前記第２情報、前記第３情報及び第４情報に基づき、論理通信路の移設元となる第一の論理リングネットワークと論理通信路に属すると判定した場合には、第一の論理リングネットワークが設定された全てのポートにおいて第一の論理リングネットワークから論理通信路に関する設定を削除し、前記第１情報、前記第２情報、前記第３情報及び第４情報に基づき、論理通信路の移設先となる第二の論理リングネットワークと論理通信路に属すると判定した場合には、第二の論理リングネットワークが設定された全てのポートにおいて第二の論理リングネットワークへ論理通信路に関する設定を追加する他のノード装置とを備えるリングネットワークシステム。
【請求項４】
リングプロトコルを適用した論理リングネットワークを構築する複数のノード装置を備えたリングネットワークシステムでのリングネットワーク変更方法において、
設定を変更する対象である論理通信路に関する第１情報、論理通信路の移設元となる論理リングネットワークに関する第２情報、及び論理通信路の移設先となる論理リングネットワークに関する第３情報を含む設定変更指示を送信し、
前記第１情報、前記第２情報、前記第３情報及び自装置に設定されている論理リングネットワークに関する第４情報に基づき、第一の論理リングネットワークが設定された全てのポートにおいて論理リングネットワークと論理通信路とに関する設定を削除し、
この設定の削除に引き続き、第二の論理リングネットワークが設定された全てのポートにおいて論理リングネットワークと論理通信路とに関する設定を追加し、
前記設定変更指示を受信し、前記第１情報、前記第２情報、前記第３情報及び第４情報に基づき、論理通信路の移設元となる第一の論理リングネットワークと論理通信路に属すると判定した場合には、第一の論理リングネットワークが設定された全てのポートにおいて第一の論理リングネットワークから論理通信路に関する設定を削除し、
前記第１情報、前記第２情報、前記第３情報及び第４情報に基づき、論理通信路の移設先となる第二の論理リングネットワークと論理通信路に属すると判定した場合には、第二の論理リングネットワークが設定された全てのポートにおいて第二の論理リングネットワークへ論理通信路に関する設定を追加することを備えるリングネットワーク変更方法。
【請求項５】
リングプロトコルを適用した論理リングネットワークを構築する複数のノード装置を備えたリングネットワークシステムにおいて、
設定を変更する対象である論理通信路に関する第１情報、論理通信路の交換を行う第一の論理リングネットワークに関する第５情報、及び論理通信路の交換を行う第二の論理リングネットワークに関する第６情報を含む設定変更指示を送信し、前記第１情報、前記第５情報、前記第６情報、及び自装置に設定されている論理リングネットワークに関する第４情報に基づき、前記第一の論理リングネットワークが設定された全てのポートにおいて第一の論理リングネットワークと第一の論理通信路とに関する設定を削除し、この設定の削除に引き続き、第二の論理リングネットワークが設定された全てのポートにおいて第二の論理リングネットワークへ第一の論理通信路に関する設定を追加し、第二の論理リングネットワークが設定された全てのポートにおいて第二の論理リングネットワークから第二の論理通信路に関する設定を削除し、この設定の削除に引き続き、第一の論理リングネットワークが設定された全てのポートにおいて第一の論理リングネットワークへ第二の論理通信路に関する設定を追加する代表ノード装置と、
前記設定変更指示を受信し、前記第１情報、前記第５情報、前記第６情報、及び第４情報に基づき、論理通信路の交換を行う第一の論理リングネットワークのみに属すると判定した場合は、第一の論理リングネットワークが設定された全てのポートにおいて第一の論理リングネットワークから第一の論理通信路に関する設定を削除と、第一の論理リングネットワークへ第二の論理通信路に関する設定を追加し、論理通信路の交換を行う第二の論理リングネットワークのみに属すると判定した場合は、第二の論理リングネットワークが設定された全てのポートにおいて第二の論理リングネットワークへ第一の論理通信路に関する設定を追加と、第二の論理リングネットワークから第二の論理通信路に関する設定を削除する他のノード装置と、を備えるリングネットワークシステム。
【請求項６】
リングプロトコルを適用した論理リングネットワークを構築する複数のノード装置を備えたリングネットワークシステムでのリングネットワーク変更方法において、
設定を変更する対象である論理通信路に関する第１情報、論理通信路の交換を行う第一の論理リングネットワークに関する第５情報、及び論理通信路の交換を行う第二の論理リングネットワークに関する第６情報を含む設定変更指示を送信し、
前記第１情報、前記第５情報、前記第６情報、及び自装置に設定されている論理リングネットワークに関する第４情報に基づき、前記第一の論理リングネットワークが設定された全てのポートにおいて第一の論理リングネットワークと第一の論理通信路とに関する設定を削除し、
この設定の削除に引き続き、第二の論理リングネットワークが設定された全てのポートにおいて第二の論理リングネットワークへ第一の論理通信路に関する設定を追加し、
第二の論理リングネットワークが設定された全てのポートにおいて第二の論理リングネットワークから第二の論理通信路に関する設定を削除し、
この設定の削除に引き続き、第一の論理リングネットワークが設定された全てのポートにおいて第一の論理リングネットワークへ第二の論理通信路に関する設定を追加し、
前記設定変更指示を受信し、前記第１情報、前記第５情報、前記第６情報、及び第４情報に基づき、論理通信路の交換を行う第一の論理リングネットワークのみに属すると判定した場合は、第一の論理リングネットワークが設定された全てのポートにおいて第一の論理リングネットワークから第一の論理通信路に関する設定を削除と、第一の論理リングネットワークへ第二の論理通信路に関する設定を追加し、
論理通信路の交換を行う第二の論理リングネットワークのみに属すると判定した場合は、第二の論理リングネットワークが設定された全てのポートにおいて第二の論理リングネットワークへ第一の論理通信路に関する設定を追加と、第二の論理リングネットワークから第二の論理通信路に関する設定を削除することを備えるリングネットワーク変更方法。
【発明の詳細な説明】
【技術分野】
【０００１】
この発明は、リングネットワークシステム、リングネットワーク変更方法、及びリングノード装置に関する。
【背景技術】
【０００２】
広域イーサネット（登録商標）サービス等に用いられる中継ネットワークの構成方法の一つとして、環状に接続したノードからなるリングネットワークがある。リングネットワークに対してリングプロトコルを適用することで、冗長経路を確保しつつ、経済的に構築することが可能である（例えば、非特許文献１を参照）。リングプロトコルを用いたリングネットワーク内では、各リングネットワークをノード冗長接続することによりリングネットワーク内全体でノード故障耐性を備えた冗長経路を構築可能であり、リングネットワーク内のいずれのノードが故障した場合においても経路切り替えが行われ通信の正常性が確保される。
【０００３】
また、論理リングネットワークを構築した後に論理リングネットワークに属する論理通信路に関する設定を変更する手法がある（例えば、特許文献１を参照）。
【先行技術文献】
【非特許文献】
【０００４】
【非特許文献１】Ｒｅｃｏｍｍｅｎｄａｔｉｏｎ  ＩＴＵ−Ｔ  Ｇ．８０３２／Ｙ．１３４４，“Ｅｔｈｅｒｎｅｔ  Ｒｉｎｇ  Ｐｒｏｔｅｃｔｉｏｎ  Ｓｗｉｔｃｈｉｎｇ  （０８／２０１５），１  Ｓｃｏｐｅ，ｐ．１；６  Ｉｎｔｒｏｄｕｃｔｉｏｎ，ｐ．５
【特許文献】
【０００５】
【特許文献１】特許第５７７１５５９号明細書
【発明の概要】
【発明が解決しようとする課題】
【０００６】
ところで、論理リングネットワークを構成する複数のノードが、任意の順序で論理リングネットワークへの論理通信路に関する設定の追加処理、及び、論理リングネットワークからの論理通信路に関する設定の削除処理を実行した場合、論理ループが発生する可能性がある。しかしながら、リングネットワークを構成するノード全てにおいて、リングネットワークと論理通信路に関する設定を変更する技術は知られていない。さらに、論理ループを発生させることなくリングネットワークの構成を変更する技術も知られていない。
【０００７】
この発明は上記事情に着目してなされたもので、その目的とするところは、リングプロトコルを用いて構成されるリングネットワークにおいて、論理ループを生じることなく論理リングネットワーク形状を変更することができるリングネットワークシステム、リングネットワーク変更方法、及びリングノード装置を提供することにある。
【課題を解決するための手段】
【０００８】
上記目的を達成するためにこの発明の観点は、以下のような構成要素を備えている。すなわち、リングノード装置は、論理リングネットワークを形成し、前記論理リングネットワークにおいて通信を可能とする論理通信路を設定するリングプロトコルを適用した、第一の論理リングネットワークまたは第二の論理リングネットワークの少なくともいずれか一方に含まれるリングノード装置であって、変更部と、設定部を含む。変更部は、設定を変更する対象である論理通信路に関する第１情報、論理通信路の移設元となる論理リングネットワークに関する第２情報、及び論理通信路の移設先となる論理リングネットワークに関する第３情報を含む設定変更指示を受信し、第１情報、第２情報、第３情報、及び自装置に設定されている論理リングネットワークに関する第４情報に基づき、論理リングネットワークごとに対応する論理通信路に関する設定を変更する。設定部は、第１情報、第２情報、第３情報及び第４情報に基づき、第一の論理リングネットワークが設定された全てのポートにおいて論理リングネットワークと論理通信路とに関する設定を削除し、この設定の削除に引き続き、第二の論理リングネットワークが設定された全てのポートにおいて論理リングネットワークと論理通信路とに関する設定を追加する。
【発明の効果】
【０００９】
この発明によれば、リングプロトコルを用いて構成されるリングネットワークにおいて、論理ループを生じることなく論理リングネットワーク形状を変更することが可能なリングネットワークシステム、リングネットワーク変更方法、及びリングノード装置を提供する。
【図面の簡単な説明】
【００１０】
【図１】２つの論理リングネットワークを備えたネットワークシステムの一例を示す図。
【図２】図１のリングネットワークに設定された、２つの論理リングネットワークと一つの論理通信路とを示す図。
【図３】図２の論理通信路に関する設定を他の論理リングネットワークに追加する一例を示す図。
【図４】図３の設定をノードに追加した一例を示す図。
【図５】論理リングネットワークに設定された論理通信路を移設したが論理ループが発生していることを示す図。
【図６】第１の実施形態のリングノード装置の機能ブロック図。
【図７】第１の実施形態の代表となるリングノード装置である代表通信装置の機能ブロック図。
【図８】第１及び第２実施例での２つのリングネットワークを備えたリングネットワークシステムの一例を示す図。
【図９】第１実施例（移設）での２つの論理リングネットワーク及び１つの論理通信路を示す図。
【図１０】図９の２つのノードにおいて論理通信路に関する設定を削除したことを示す図。
【図１１】図９の論理通信路が設定されていた全てのノードで論理通信路に関する設定を削除したことを示す図。
【図１２】図９のノード８３のポート８３３において、設定変更指示フレームを受信した状態を示す図。
【図１３】図８の論理リングネットワークに設定された論理通信路の移設が完了したことを示す図。
【図１４】第２実施例（交換）での２つの論理リングネットワーク及び２つの論理通信路を示す図。
【図１５】図１４の２つの論理通信路に関する設定を削除したことを示す図。
【図１６】図８の論理リングネットワークに設定された２つの論理通信路の交換が完了したことを示す図。
【図１７】第２の実施形態に係るリングノード装置の機能ブロック図。
【図１８】第２の実施形態の代表となるリングノード装置である代表通信装置の機能ブロック図。
【発明を実施するための形態】
【００１１】
以下、図面を参照してこの発明に係わる実施形態のリングネットワークシステム、リングネットワーク変更方法、及びリングノード装置を説明する。なお、以下の実施形態では、同一の番号を付した部分については同様の動作を行うものとして、重ねての説明を省略する。なお、本開示のリングネットワークシステム、リングネットワーク変更方法、及びリングノード装置は情報通信産業に適用することができる。  
なお、本明細書では、リングプロトコルを適用し環状に接続したノード（ノード装置とも称す）からなるネットワークを「論理リングネットワーク」（単に「リングネットワーク」、あるいは、「リング」と略すこともある）、論理リングネットワーク上に設定する、拠点を接続する仮想的な通信経路を「論理通信路」と記載する。例えば、「論理通信路」はイーサネット（登録商標）におけるＶＬＡＮに相当し、「論理リングネットワーク」はリングプロトコルにおけるリングインスタンスに相当する。また、リングネットワークシステムとは、リングプロトコルを適用した論理リングネットワークを構築する複数のリングノード装置を含んだシステムのことを示す。
【００１２】
一般的にリングプロトコルが実装されたノードは、一度論理リングネットワークを構築した後、サービスを提供した状態で論理リングネットワークに関する設定を変更することは困難である。ノードの追加や削除といった処理であれば、論理リングネットワークの冗長機能を利用することにより、サービスを提供した状態であっても処理を実現することが可能である。しかしながら、サービスを提供した状態において、ある論理リングネットワークに属していたノードを他の論理リングネットワークに属するように変更する、すなわち、ある論理リングネットワークに属した論理通信路を他の論理リングネットワークへ移設するような、複数の論理リングネットワークにまたがった設定変更処理を行うことは困難である。
【００１３】
リングネットワーク間の移設処理として、例えば、加入者の増加やサービスの追加などによりネットワーク上を流れるトラフィック量が増大したことを契機として、新たな論理リングネットワーク（以降、移設先論理リングネットワークと呼ぶ）を増設し、論理リングネットワーク増設前よりサービスを提供していた論理リングネットワーク（以降、移設元論理リングネットワークと呼ぶ）から移設先論理リングネットワークに一部のトラヒックを移設することで移設元論理リングネットワークと移設先論理リングネットワークとの間で負荷分散を実現することが考えられる。このような場合、移設元論理リングネットワークに属するノードと移設先論理リングネットワークに属するノードで、それぞれ論理通信路に関する設定を変更する必要がある。
【００１４】
論理リングネットワークの変更を実現するための処理手順として、具体的には、（１）移設先論理リングネットワークに論理通信路に関する設定を追加する、（２）移設元論理リングネットワークから論理通信路に関する設定を削除する、の２つの処理が必要である。しかしながら、リングネットワークを構成する複数のノードがこれら２つの処理を任意の順序で実行した場合、論理ループが発生する可能性がある。イーサネット技術を用いた論理リングネットワークにおいて論理ループが発生すると、論理ループに起因するブロードキャストストームの発生により通信が停止する可能性がある。
【００１５】
まずここで、２つの論理リングネットワークにおいて、論理通信路に関する設定を変更する際に論理ループが発生する例について図１から図５までを参照して説明する。  
図１のネットワークシステムは、ノード１１〜１６により構成され物理回線１８−１〜１８−６を経由する第一の論理リングネットワークと、ノード１１、１３、１７により構成され物理回線１９−１〜１９−３を経由する第二の論理リングネットワークとからなる。  
ノード１１は、第一の論理リングネットワークを構成するポート１１１、１１２と、第二の論理リングネットワークを構成するポート１１３、１１４と、物理回線１１ａを経由してアクセス収容ノード１ａと接続するポート１１５を備える。  
ノード１２は、第一の論理リングネットワークを構成するポート１２１、１２２を備える。  
ノード１３は、第一の論理リングネットワークを構成するポート１３１、１３２と、第二の論理リングネットワークと接続するポート１３３、１３４と、物理回線１３ｂを経由してアクセス収容ノード１ｂと接続するポート１３５を備える。  
ノード１４は、第一の論理リングネットワークを構成するポート１４１、１４２を備える。  
ノード１５は、第一の論理リングネットワークを構成するポート１５１、１５２を備える。  
ノード１６は、第一の論理リングネットワークを構成するポート１６１、１６２を備える。  
ノード１７は、第二の論理リングネットワークを構成するポート１７３、１７４を備える。
【００１６】
次に、第一の論理リングネットワーク２０−１と第二の論理リングネットワーク２０−２について図２を参照して説明する。論理リングネットワークには、論理通信路を設定することが可能であり、ここでは、論理リングネットワーク２０−１に論理通信路２１を設定している。さらに、ノード１１とアクセス収容ノード１ａとの間の物理回線１１ａには論理通信路２２ａを設定し、ノード１３とアクセス収容ノード１ｂとの間の物理回線１３ｂには論理通信路２２ｂを設定している。ノード１１、１３のいずれにおいても、論理リングネットワーク２０−１に論理通信路２１を設定しているため、アクセス収容ノード１ａと１ｂは、論理通信路２２ａ、論理通信路２１、及び論理通信路２２ｂを経由して互いに通信を行うことが可能である。
【００１７】
なお、第一の論理リングネットワーク２０−１はポート１１２を閉塞ポートとし、第二の論理リングネットワーク２０−２はポート１１４を閉塞ポートとしている。このように、各論理リングネットワークにおいて閉塞ポートを指定することにより、論理通信路２１に論理ループが発生することを回避している。一つの論理リングネットワークで一つの閉塞ポートを設定すれば、この論理リングネットワークの論理通信路には論理ループは発生しない。
【００１８】
（論理通信路移設）  
図１及び図２の物理設定、論理設定を備えた２つの論理リングネットワークからなるネットワークにおいて、第一の論理リングネットワーク２０−１から第二の論理リングネットワーク２０−２に論理通信路２１を移設する手順について述べる。すでに述べたように、論理通信路２１を移設するためには、（１）移設先となる第二の論理リングネットワーク２０−２に論理通信路２１に関する設定を追加する、（２）移設元となる第一の論理リングネットワーク２０−１から論理通信路２１に関する設定を削除する、の２つの処理を完了する必要がある。
【００１９】
具体的には、第一の論理リングネットワーク２０−１のみに属するノード１２、１４、１５、１６は、第一の論理リングネットワーク２０−１から論理通信路２１に関する設定を削除する処理を各ノードのポートごとに実施する。第二の論理リングネットワーク２０−２のみに属するノード１７は、第二の論理リングネットワーク２０−２に論理通信路２１に関する設定を追加する処理を各ノードのポートごとに実施する。第一の論理リングネットワーク２０−１と第二の論理リングネットワーク２０−２との両方に属するノード１１、１３は、第二の論理リングネットワーク２０−２に論理通信路２１に関する設定を追加する処理と、第一の論理リングネットワーク２０−１から論理通信路２１に関する設定を削除する処理とを、各ノードのポートごとに実施する。
【００２０】
ノード１１において、第二の論理リングネットワーク２０−２に論理通信路２１に関する設定を追加した例について図３を参照して説明する。  
第一の論理リングネットワーク２０−１から論理通信路２１に関する設定を削除していないため、第一の論理リングネットワークが設定されたポートと第二の論理リングネットワークが設定されたポートの両方、すなわち、ポート１１１〜１１４に論理通信路２１に関する設定が保持される。一方、ノード１２〜１７においては論理リングネットワークと論理通信路に関する設定に変更が加えられていないため、この時点においては論理リングネットワーク２０−２に設定された論理通信路２１を用いた通信はできない。
【００２１】
その後、図４に示すように、ノード１７において第二の論理リングネットワーク２０−２に論理通信路２１に関する設定を追加したとする。この時、ノード１１とノード１７との間で論理通信路２１が確立するため、ノード１１とノード１７との間での通信が可能となる。
【００２２】
さらに、図５に示すように、ノード１３において第二の論理リングネットワーク２０−２に論理通信路２１に関する設定を追加したとする。しかしこの時、ノード１１、１７、１３、１４、１５、１６、１１をこの順序で経由する論理ループが発生する。
【００２３】
このように、２つ以上の論理リングネットワークを構成する複数のノードが、任意の順序で論理リングネットワークへの論理通信路に関する設定の追加処理、及び、論理リングネットワークからの論理通信路に関する設定の削除処理を実行した場合、論理ループが発生する可能性がある。
【００２４】
［第１の実施形態］  
（第１のリングノード装置）  
本発明の第１の実施形態に係る第１のリングノード装置（リングノードとも称す。また単にノードとも称す）について図６を参照して説明する。第１の実施形態の第１のリングノード装置は、一つのポートに複数の論理通信路を設定することが可能なタグＶＬＡＮを使用して、リングに設定された一部の論理通信路を、別リングが設定されたリングポートへ移動する場合に利用するためのものである。リングネットワークシステムでの移設または交換に無関係の論理通信路では、リングポートと論理通信路の関係に変更を加えることなく、別のリングポートに移動することになる。また、本実施形態のリングネットワークシステム、リングネットワーク変更方法も以下に説明される。  
リングノード６は、複数のリングポート６１−１〜６１−ｎ（ｎは自然数かつ偶数）と、リング−通信路設定変更指示解析部６２と、リング−通信路対応設定状態監視部６３と、リング−通信路設定変更部６４と、論理リング設定通知部６５と、論理通信路設定管理部（ポート）６６と、リング−通信路対応設定部６７と、を備える。リングポート６１−１とリングポート６１−２は第一の論理リングネットワークを構成するポートとし、リングポート６１−３とリングポート６１−４は第二の論理リングネットワークを構成するポートとする。ここで一般化すると、リングポート６１−ｎ−１とリングポート６１−ｎは第ｎ／２の論理リングネットワークを構成するポートにすることになる。
【００２５】
本実施形態では、第一の論理リングネットワークから論理通信路に関する設定を削除し、第二の論理リングネットワークに論理通信路に関する設定を追加する、すなわち、移設元となる第一の論理リングネットワークから移設先となる第二の論理リングネットワークに論理通信路を移設する例について記載する。
【００２６】
論理通信路のこの移設は、設定変更指示フレームを通じて実行される。設定変更指示フレームは、「設定変更対象の論理通信路」に関する情報、「論理通信路の移設元となる論理リングネットワーク」に関する情報、及び、「論理通信路の移設先となる論理リングネットワーク」に関する情報を含む。なお、設定変更指示フレームは例えば、後に説明する代表通信装置が生成し他のノードへ送信する。
【００２７】
リングノード６は、設定変更指示フレームに含まれるこれらの情報を用いてノードの設定変更を実現し、論理リングネットワークシステムの構成を変更する。例えば、論理通信路に関する情報としてＶＩＤ（ＶＬＡＮ  ＩＤ）を、論理リングネットワークに関する情報として各論理リングネットワークに割り当てられるリングインスタンスＩＤ（以降、「リングＩＤ」と略す。）を用いてもよい。すなわち、設定変更指示フレームは、ＶＩＤ、移設元となるリングのリングＩＤ、及び、移設先となるリングのリングＩＤを含んでもよい。
【００２８】
リング−通信路設定変更指示解析部６２は、リングポート６１−１〜６１−ｎのうちの１以上のポートで受信した設定変更指示フレームを解析し、具体的にはこのフレームの指示内容から「設定変更対象の論理通信路」に関する情報、「論理通信路の移設元となる論理リングネットワーク」に関する情報、及び「論理通信路の移設先となる論理リングネットワーク」に関する情報を抽出する。また、リング−通信路設定変更指示解析部６２は、抽出した情報をリング−通信路設定変更部６４に送信する。
【００２９】
本実施形態では、論理通信路の移設元となる論理リングネットワークと論理通信路の移設先となる論理リングネットワークとの両方に属するノードにおいて、設定変更指示フレームの受信を契機として、「論理通信路の移設元となる論理リングネットワークから論理通信路に関する設定を削除」する処理に引き続き、「論理通信路の移設先となる論理リングネットワークに論理通信路に関する設定を追加」する処理を実行する。
【００３０】
設定変更を行うポートを指定するためには、「論理通信路の移設元となる論理リングネットワーク」が設定されているポートに関する情報、及び、「論理通信路の移設先となる論理リングネットワーク」が設定されているポートに関する情報が必要となる。そこで、リング−通信路対応設定状態監視部６３は、論理リング設定通知部６５が保持している論理リングネットワークに関する設定を取得し、論理リングネットワークと論理通信路とに関する設定をリング−通信路設定変更部６４に送信する。
【００３１】
一方、設定変更指示フレームにより指示された指示内容が不正なものではないか、例えば、設定変更処理を適用する前の設定と設定変更指示フレームにより指示された指示内容との間に不整合がないか、を判定するために、設定変更処理を適用する前の設定を取得してもよい。この場合、リング−通信路対応設定状態監視部６３は、論理リング設定通知部６５、及び論理通信路設定管理部（ポート）６６が保持している情報を取得し、リング−通信路設定変更部６４に送信する。
【００３２】
リング−通信路設定変更部６４は、リング−通信路設定変更指示解析部６２から受け取った「設定変更対象の論理通信路」に関する情報、「論理通信路の移設元となる論理リングネットワーク」に関する情報、及び、「論理通信路の移設先となる論理リングネットワーク」に関する情報、さらに、リング−通信路対応設定状態監視部６３から受け取った設定変更処理前の設定に基づき、リング−通信路対応設定を変更する。なお、リング−通信路対応設定とは、論理リングネットワークと論理通信路との対応付けに関する設定のことである。
【００３３】
論理リング設定通知部６５は、複数のリングポート６１−１から６１−ｎのうち、一つもしくは二つに対し、論理リングネットワークを設定し、論理リングネットワークの状態に応じて切り替え、及び復旧動作を実施し、リングポート６１−１から６１−ｎ上の論理通信路における通信の導通もしくは停止状態を制御する。このとき、論理リング設定通知部６５は、例えばリングポート６１−１と６１−２に対して第一の論理リングネットワークを構成し、６１−３と６１−４に対して第二の論理リングネットワークを構成するといったように、リングポートを自由に組合せた複数の論理リングネットワークを構成することができる。  
論理リング設定通知部６５は、リングポートと論理リングネットワークとの対応情報をリング−通信路対応設定部６７に通知するのみであり、論理通信路が設定されたポートの変更に関与しない。
【００３４】
論理通信路設定管理部（ポート）６６は、複数のリングポート６１−１〜６１−ｎのうち、一つ以上に対し、一つもしくは複数の論理通信路を設定し、論理通信路を識別する識別子等が付与された通信を導通可能とする制御を行う。
【００３５】
リング−通信路対応設定部６７は、論理リングネットワーク及び論理通信路が設定されたリングポート（６１−１〜６１−ｎのうちのいくつか）において、論理通信路上の通信を、論理リングネットワークの状態に応じて導通もしくは停止とすることを可能とするため、論理リングネットワークと論理通信路との対応付けを行う。リング−通信路設定変更部６４が、論理リングネットワークと論理通信路との対応付けを変更することで、論理通信路を別ポートに変更する。
【００３６】
これにより、論理通信路を交換ではなく移設する場合には、論理通信路の移設元となる第一の論理リングネットワーク、論理通信路の移設先となる第二の論理リングネットワーク、または、論理通信路の移設元となる第一の論理リングネットワークと論理通信路の移設先となる第二の論理リングネットワークとの両方から設定変更指示フレームを受信したことを契機として、「論理通信路の移設元となる第一の論理リングネットワークが設定された全てのポートにおいて論理通信路に関する設定を削除」し、「論理通信路の移設先となる第二の論理リングネットワークが設定された全てのポートにおいて論理通信路に関する設定を追加」することが可能となる。また、論理リングネットワークを構成する各ノードのうち第一の論理リングネットワークと第二の論理リングネットワークとの両方に属するノードは、「論理通信路の移設元となる第一の論理リングネットワークから論理通信路に関する設定を削除」した後に「論理通信路の移設先となる第二の論理リングネットワークに論理通信路に関する設定を追加」することが可能となり、結果として論理ループを発生させることなくリングネットワークシステムの構成を変更することが可能となる。
一方、第一の論理通信路と第二の論理通信路を交換する場合には、論理通信路の交換を行う一方の論理リングネットワークである第一の論理リングネットワーク、論理通信路の交換を行う一方の論理リングネットワークである第二の論理リングネットワーク、または、論理通信路の交換を行う第一の論理リングネットワークと第二の論理リングネットワークとの両方から設定変更指示フレームを受信したことを契機として、「第一の論理リングネットワークが設定された全てのポートにおいて第一の論理通信路に関する設定を削除」し、「第二の論理リングネットワークが設定された全てのポートにおいて第二の論理通信路に関する設定を削除」し、「第一の論理リングネットワークが設定された全てのポートにおいて第二の論理通信路に関する設定を追加」し、「第二の論理リングネットワークが設定された全てのポートにおいて第一の論理通信路に関する設定を追加」することが可能となる。また、論理リングネットワークを構成する各ノードのうち第一の論理リングネットワークと第二の論理リングネットワークとの両方に属するノードは、「第一の論理リングネットワークから第一の論理通信路に関する設定を削除」した後に「第二の論理リングネットワークに第一の論理通信路に関する設定を追加」し、「第二の論理リングネットワークから第二の論理通信路に関する設定を削除」した後に「第一の論理リングネットワークに第二の論理通信路に関する設定を追加」することが可能となり、結果として論理ループを発生させることなくリングネットワークシステムの構成を変更することが可能となる。
【００３７】
なお、論理リングネットワークには、第一の論理リングネットワークにのみ属しているノード、第二の論理リングネットワークのみに属しているノード、第一の論理リングネットワークと第二の論理リングネットワークとの両方に属しているノード、といったノード構成が存在するが、これらを区別して設定変更指示フレームを送信しなくてもよい。設定変更指示フレームに含まれる「論理通信路の移設元となる論理リングネットワーク」に関する情報、及び、「論理通信路の移設先となる論理リングネットワーク」に関する情報と、各ノードが保持するリングとポートとの対応関係に関する情報から、設定変更指示フレームを受信したノードが、第一の論理リングネットワークにのみ属しているノードなのか、第二の論理リングネットワークのみに属しているノードなのか、あるいは、第一の論理リングネットワークと第二の論理リングネットワークの両方に属しているノードなのかを判別することが可能である。このため、ノード構成を区別することなく、第一の論理リングネットワークと第二の論理リングネットワークに対して「設定変更対象の論理通信路」、「論理通信路の移設元となる論理リングネットワーク」、及び、「論理通信路の移設先となる論理リングネットワーク」に関する情報を含む設定変更指示フレームを送信するのみでよい。
【００３８】
また、論理通信路の移設元となる論理リングネットワークのみに属するノードは「論理通信路の移設元となる論理リングネットワークから論理通信路に関する設定を削除」する処理のみを行い、論理通信路の移設先となる論理リングネットワークのみに属するノードは「論理通信路の移設先となる論理リングネットワークへ論理通信路に関する設定を追加」する処理のみを行う。また、これらのノードは第一の論理リングネットワーク、もしくは、第二の論理リングネットワークかのいずれかのみを備えるため、論理ループの発生には影響しない。
【００３９】
次に、本実施形態の代表通信装置（代表リングノード、代表ノード装置とも称す）について図７を参照して説明する。代表通信装置は典型的には、リングネットワークシステムを構成する複数のリングノード装置のうちの一つであり、論理通信路に関する設定の追加処理または削除処理を実行する。  
代表通信装置７は、図６の機能ブロックに加え、設定変更指示部（入力）７１及び設定変更指示部（出力）７２を備える。
【００４０】
設定変更指示部（出力）７２は、移設元となる論理リングネットワークに属するノード、移設先となる論理リングネットワークに属するノード、及び、移設元となる論理リングネットワークと移設先となる論理リングネットワークの両方に属するノード、の全てに対して「論理通信路の移設元となる論理リングネットワークから論理通信路に関する設定を削除」と「論理通信路の移設先となる論理リングネットワークへ論理通信路に関する設定を追加」の両方の処理を実施するための設定変更指示フレームを通知する。  
設定変更指示フレームは、移設元となる論理リングネットワークに属するノード、移設先となる論理リングネットワークに属するノード、及び、移設元となる論理リングネットワークと移設先となる論理リングネットワークの両方に属するノードの全てのノードに到達すればよく、送信順序に関する制約は存在しない。
【００４１】
すなわち、論理通信路の移設元となる論理リングネットワークが設定されたポートから設定変更指示フレームを送信し、この設定変更指示フレームが論理通信路の移設元となる論理リングネットワークを一巡した後に、論理通信路の移設先となる論理リングネットワークが設定されたポートから設定変更指示フレームを送信してもよい。
【００４２】
あるいは、論理通信路の移設先となる論理リングネットワークが設定されたポートから設定変更指示フレームを送信し、この設定変更指示フレームが論理通信路の移設先となる論理リングネットワークを一巡した後に、論理通信路の移設元となる論理リングネットワークが設定されたポートから設定変更指示フレームを送信してもよい。
【００４３】
あるいは、論理通信路の移設元となる論理リングネットワークが設定されたポートと、論理通信路の移設先となる論理リングネットワークが設定されたポートとの両方から設定変更指示フレームを同時に送信してもよい。
【００４４】
さらに、設定変更指示部（入力）７１は、論理通信路の移設元となる論理リングネットワークと論理通信路の移設先となる論理リングネットワークの両方に属するノードは、設定変更指示フレームの受信を契機として、例えば、論理通信路の移設元となる論理リングネットワークから設定変更指示フレームを受信する、論理通信路の移設先となる論理リングネットワークから設定変更指示フレームを受信する、または、論理通信路の移設元となる論理リングネットワークと論理通信路の移設先となる論理リングネットワークの両方から設定変更指示フレームを受信する、のいずれかを契機として、論理通信路の移設元となる論理リングネットワークが設定されたポートに対して「論理通信路の移設元となる論理リングネットワークから論理通信路に関する設定を削除」する処理を行い、この処理に引き続き、論理通信路の移設先となる論理リングネットワークが設定されたポートに対して「論理通信路の移設先となる論理リングネットワークに論理通信路に関する設定を追加」する処理を行う。
【００４５】
なお、設定変更指示部（入力）７１及び設定変更指示部（出力）７２は、ここでは別体として説明してあるが、同様な機能を有するならば同体でももちろん構わない。
【００４６】
本実施形態のリングネットワークシステム、リングネットワーク変更方法、及びリングノード装置の特徴は、リング−通信路設定変更部６４が、設定変更指示フレームの受信を契機として、論理通信路の移設元となる論理リングネットワークが設定されているポートと論理通信路の移設先となる論理リングネットワークが設定されているポートの全てに対し、論理リングネットワークと論理通信路対応に関する設定を変更するところにある。すなわち、第一の論理リングネットワークと第二の論理リングネットワークのように複数の論理リングネットワークに属しているノードにおいて設定変更指示フレームを受信した場合、設定変更指示フレームの受信を契機として、「論理通信路の移設元となる論理リングネットワークから論理通信路に関する設定を削除」する処理に引き続き、「論理通信路の移設先となる論理リングネットワークに論理通信路に関する設定を追加」する処理を実行する。論理ループを発生させないためには、論理リングネットワークを構成する各ノードのうち第一の論理リングネットワークと第二の論理リングネットワークとの両方に属するノードが、「論理通信路の移設元となる論理リングネットワークから論理通信路に関する設定を削除」した後に、「論理通信路の移設先となる論理リングネットワークへ論理通信路に関する設定を追加」する必要がある。
【００４７】
ここで、「論理通信路の移設元となる論理リングネットワークから論理通信路に関する設定を削除」する処理と「論理通信路の移設先となる論理リングネットワークへ論理通信路に関する設定を追加」する処理の処理順序が逆転しないよう、「論理通信路の移設元となる論理リングネットワークから論理通信路に関する設定を削除」する処理と「論理通信路の移設先となる論理リングネットワークへ論理通信路に関する設定を追加」する処理を続けて実行するための設定変更指示フレームを用いる。
【００４８】
すなわち、論理通信路の移設元となる論理リングネットワークが設定されたポートにおいて、「論理通信路の移設元となる論理リングネットワークから論理通信路に関する設定を削除」する処理のための設定変更指示フレームを受信したことを契機として論理通信路に関する設定を削除し、論理通信路の移設先となる論理リングネットワークが設定されたポートにおいて「論理通信路の移設先となる論理リングネットワークへ論理通信路に関する設定を追加」する処理のための設定変更指示フレームを受信したことを契機として論理通信路に関する設定を追加するのではなく、一つの設定変更指示フレームを受信したことを契機として、論理通信路に関する設定の削除する処理に引き続き、論理通信路に関する設定を追加する処理を行う。
【００４９】
なお、設定変更指示フレームの生成は、代表通信装置において行われる。代表通信装置は、移設元となる論理リングネットワークと移設先となる論理リングネットワークの両方に属し、かつ、それらのリングにおける閉塞ポートを有しているノードとする。すなわち代表通信装置は一意的に決定することが可能である。
【００５０】
以上の第１の実施形態によれば、代表通信装置からの設定変更指示に基づき、論理ループを回避しつつ、リングネットワークの構成を変更することが可能となる。換言すれば、リングネットワーク構築後に、リングの形状を変更することが可能なリングネットワークシステム、リングネットワーク変更方法、及びリングノード装置を提供することができる。また、第１の実施形態によれば、例えば移設元となる論理リングネットワークから移設先となる論理リングネットワークへ、タグＶＬＡＮにより設定された論理通信路を移設する場合に利用できる。第１の実施形態では、特定のタグ、すなわち論理通信路識別子が設定された論理通信路ごとに、他の論理リングネットワークへ論理通信路を移設することができる。
【実施例】
【００５１】
（リングネットワークの第１実施例：移設）  
次に具体例として、リングネットワークシステムでの移設の一例について図８から図１３を参照して説明する。ここでは図８のリングネットワークシステムに設定された論理リングネットワークにおいて、論理通信路を移設する例を示す。なお、以下の第１実施例及び第２実施例は、第１の実施形態及び第２の実施形態のリングノード装置を適用することができる。
【００５２】
図８のネットワークシステムは、ノード８１〜８６により構成され物理回線８８−１〜８８−６を経由する第一の論理リングネットワークと、ノード８１、８３、８４、８７により構成され物理回線８９−１〜８９−４を経由する第二の論理リングネットワークとからなる。  
ノード８１は、第一の論理リングネットワークを構成するリングポート８１１、８１２と、第二の論理リングネットワークを構成するリングポート８１３、８１４と、物理回線８１ａを経由してアクセス収容ノード８ａと接続するポート８１５を備える。また、図８には物理回線８１ｂを経由してアクセス収容ノード８ｂと接続するポート８１６もあるが、これは後の第２実施例の２つの論理通信路を交換する場合に使用する。  
ノード８２は、第一の論理リングネットワークを構成するリングポート８２１、８２２を備える。  
ノード８３は、第一の論理リングネットワークを構成するリングポート８３１、８３２と、第二の論理リングネットワークを構成するリングポート８３３、８３４と、物理回線８３ｃを経由してアクセス収容ノード８ｃと接続するポート８３５を備える。  
ノード８４は、第一の論理リングネットワークを構成するリングポート８４１、８４２と、第二の論理リングネットワークを構成するリングポート８４３、８４４を備える。また図８には物理回線８４ｄを経由してアクセス収容ノード８ｄと接続するポート８４５も記載されているが、これは後の第２実施例で使用する。  
ノード８５は、第一の論理リングネットワークを構成するリングポート８５１、８５２を備える。  
ノード８６は、第一の論理リングネットワークを構成するリングポート８６１、８６２を備える。  
ノード８７は、第二の論理リングネットワークを構成するリングポート８７３、８７４を備える。  
ここで、ノード８１〜８７のうちの一つが図７の代表リングノードであり、他の全てが図６に示したリングノード６としてもよい。また、ノード８１〜８７のうちの一つが図１８の代表リングノード１８０であり、他の全てが図１７に示したリングノード１７０としてもよい。
【００５３】
次に、本実施例の論理リングネットワークについて図９を参照して説明する。  
前述の通り、第一の論理リングネットワーク９０−１と第二の論理リングネットワーク９０−２とが設定される。また、論理リングネットワークには、論理通信路を設定することが可能である。ここでは、論理リングネットワーク９０−１に論理通信路９１を設定している。さらに、ノード８１とアクセス収容ノード８ａとの間の物理回線８１ａには論理通信路９４ａ、ノード８３とアクセス収容ノード８ｃとの間の物理回線８３ｃには論理通信路９４ｃを設定している。ノード８１、８３、及び、当該ノード間の通信を中継する他のノードのいずれにおいても、論理リングネットワーク９０−１に論理通信路９１を設定しているため、アクセス収容ノード８ａと８ｃは論理通信路９４ａ、論理通信路９１、論理通信路９４ｃを経由して互いに通信を行うことが可能である。
【００５４】
なお、第一の論理リングネットワーク９０−１はリングポート８１２、第二の論理リングネットワーク９０−２はリングポート８１４を閉塞ポートとしている。このように、論理リングネットワークにおいて閉塞ポートを指定することにより、その閉塞ポートのある一つの論理リングネットワークでの論理ループの発生を回避している。
【００５５】
以下、ノード８１を代表通信装置とし、ノード８１から設定変更指示フレームを送信することによりノード８１〜８７の全てのノードにおいて論理リングネットワークと論理通信路に関する設定を変更し、第一の論理リングネットワーク９０−１から第二の論理リングネットワーク９０−２に論理通信路９１を移設する手法について述べる。すなわち、第一の論理リングネットワークを論理通信路の移設元となる論理リングネットワーク、第二の論理リングネットワークを論理通信路の移設先となる論理リングネットワークとし、２つの論理リングネットワーク間で論理通信路の移設を行う手法について述べる。
【００５６】
代表通信装置であるノード８１は、第一の論理リングネットワーク９０−１に対し、「論理通信路９１に関する設定変更指示フレーム」を送信する。代表通信装置は、論理通信路の移設元となる第一の論理リングネットワーク９０−１に設定変更指示フレームを送信し、前記設定変更指示フレームが第一の論理リングネットワーク９０−１を一巡した後に、論理通信路の移設先となる第二の論理リングネットワーク９０−２に設定変更指示フレームを送信してもよい。あるいは、代表通信装置は、論理通信路の移設先となる第二の論理リングネットワーク９０−２に設定変更指示フレームを送信し、前記設定変更指示フレームが第二の論理リングネットワーク９０−２を一巡した後に、論理通信路の移設元となる第一の論理リングネットワーク９０−１に設定変更指示フレームを送信してもよい。あるいは、代表通信装置は、論理通信路の移設元となる第一の論理リングネットワーク９０−１と、論理通信路の移設先となる第二の論理リングネットワーク９０−２に設定変更指示フレームを同時に送信してもよい。いずれの設定変更指示フレーム送信方法であっても、第一の論理リングネットワークと第二の論理リングネットワークの両方に属するノードにおいて、「論理通信路の移設元となる論理リングネットワークから論理通信路に関する設定を削除」した後に「論理通信路の移設先となる論理リングネットワークに論理通信路に関する設定を追加」するため、論理ループは発生しない。ただし、設定変更指示フレームの送信方法によっては、アクセス収容ノード間の通信が停止する時間が長くなる場合がある。
【００５７】
本実施例では、論理通信路の移設元となる第一の論理リングネットワーク９０−１に設定変更指示フレームを送信し、この設定変更指示フレームが第一の論理リングネットワーク９０−１を一巡した後に、論理通信路の移設先となる第二の論理リングネットワーク９０−２に設定変更指示フレームを送信する場合について述べる。
【００５８】
設定変更指示フレームを受信した、論理通信路の移設元となる論理リングネットワークと、論理通信路の移設先となる論理リングネットワークとの両方に属するノードは、設定変更指示フレームで指示された「論理通信路の移設元となる論理リングネットワークが設定されているポートにおいて、論理リングネットワークから論理通信路に関する設定を削除」する処理を行い、この処理に引き続き、設定変更指示フレームで指示された「論理通信路の移設先となる論理リングネットワークが設定されているポートにおいて、論理リングネットワークへ論理通信路に関する設定を追加」する処理を実行する。なお、論理通信路の移設元となる論理リングネットワークのみに属しているノードは、「論理リングネットワークから論理通信路に関する設定を削除」する処理のみを行う。また、論理通信路の移設先となる論理リングネットワークのみに属しているノードは、「論理リングネットワークに論理通信路に関する設定を追加」する処理のみを行う。
【００５９】
例えば、ノード８２のポート８２１において「第一の論理リングネットワーク９０−１から第二の論理リングネットワーク９０−２へ論理通信路９１を移設する」といった内容を含む設定変更指示フレームを受信した場合、論理通信路９１の移設元となる第一の論理リングネットワーク９０−１が設定されたポート８２１、及び、ポート８２２において、第一の論理リングネットワーク９０−１から論理通信路９１に関する設定を削除する。ノード８２は、論理通信路９１の移設元となる第一の論理リングネットワーク９０−１のみに属しているため、他の論理リングネットワークに論理通信路９１に関する設定を追加する処理は行わない。
【００６０】
また、ノード８３のポート８３１において「第一の論理リングネットワーク９０−１から第二の論理リングネットワーク９０−２へ論理通信路９１を移設する」といった内容を含む設定変更指示フレームを受信した場合、論理通信路９１の移設元となる第一の論理リングネットワーク９０−１が設定されたポートポート８３１、及び、８３２において、第一の論理リングネットワーク９０−１から論理通信路９１に関する設定を削除する。また、論理通信路９１の設定を削除した後に、削除処理に引き続き、論理通信路９１の移設先となる第二の論理リングネットワーク９０−２が設定されたポートポート８３３、及び、８３４において、第二の論理リングネットワーク９０−２に論理通信路９１に関する設定を追加する。
【００６１】
本実施例では、論理通信路の移設元となる第一の論理リングネットワーク９０−１と論理通信路の移設先となる第二の論理リングネットワーク９０−２の両方に属するノードは、論理通信路の移設元となる論理リングネットワークから設定変更指示フレームを受信したこと契機として「論理通信路の移設元となる論理リングネットワークから論理通信路に関する設定を削除」する処理を実行した後に、この削除処理に引き続き、「論理通信路の移設先となる論理リングネットワークに論理通信路に関する設定を追加」する処理を行っているが、論理通信路の移設先となる論理リングネットワークから設定変更指示フレームを受信する、論理通信路の移設元となる論理リングネットワークと論理通信路の移設先となる論理リングネットワークの両方から設定変更指示フレームを受信する、あるいは、論理通信路の移設元となる論理リングネットワークと論理通信路の移設先となる論理リングネットワークのいずれかから設定変更指示フレームを受信することを契機として、「論理通信路の移設元となる論理リングネットワークから論理通信路に関する設定を削除」する処理を行い、この削除処理に引き続き、「論理通信路の移設先となる論理リングネットワークに論理通信路に関する設定を追加」する処理を行ってもよい。
【００６２】
次に、ノード８２、８３において、論理通信路に関する設定を削除した後の論理リングネットワーク、及び、論理通信路の状態を図１０に示す。図１０に示す通り、ノード８３のポート８３１、８３２から論理通信路設定を削除しているため、アクセス収容ノード８ａと８ｃとの間の論理通信路を用いた通信が停止する。
【００６３】
次に、設定変更指示フレームが第一の論理リングネットワーク９０−１を一巡し、第一の論理リングネットワーク９０−１に属する全てのノードにおいて、第一の論理リングネットワークが設定されたリングポートから論理通信路９１の設定を削除した状態を図１１に示す。  
本実施例では、論理通信路の移設元となる第一の論理リングネットワーク９０−１と論理通信路の移設先となる第二の論理リングネットワーク９０−２の両方に属するノードは、論理通信路の移設元となる論理リングネットワークから設定変更指示フレームを受信したこと契機として「論理通信路の移設元となる論理リングネットワークから論理通信路に関する設定を削除」する処理を行い、前記削除処理に引き続き、「論理通信路の移設先となる論理リングネットワークに論理通信路に関する設定を追加」する処理を行うため、第一の論理リングネットワーク９０−１と第二の論理リングネットワーク９０−２に属しているノード８１、８３、８４では、第二の論理リングネットワーク９０−２に論理通信路９１に関する設定が追加されている。
【００６４】
代表通信装置であるノード８１は、第一の論理リングネットワーク９０−１を一巡した設定変更指示フレームを受信すると、論理通信路の移設先となる論理リングネットワーク、すなわち、第二の論理リングネットワーク９０−２に設定変更指示フレームを送信する。
【００６５】
次に、ノード８３のポート８３３において、設定変更指示フレームを受信した状態を図１２に示す。  
ノード８３では、論理通信路の移設元となる第一の論理リングネットワーク９０−１が設定されているポート８３１において論理通信路９１に関する設定変更指示フレームを受信した段階で、論理通信路９１の移設元となる第一の論理リングネットワーク９０−１が設定されたポート８３１、及び、８３２において「論理通信路の移設元となる第一の論理リングネットワーク９０−１から論理通信路９１に関する設定を削除」し、さらに、論理通信路９１の移設先となる第二の論理リングネットワーク９０−２が設定されたポート８３３、及び、８３４において「論理通信路の移設先となる第二の論理リングネットワーク９０−２へ論理通信路９１に関する設定を追加」している。このため、ポート８３３において設定変更指示フレームを受信した時に改めて設定変更処理を行う必要はない。なお、図１２に示す通り、ノード８３のポート８３３、８３４において、第二の論理リングネットワーク９０−２に論理通信路９１に関する設定を追加しているものの、他のノード装置の第二の論理リングネットワークが設定されたポートにおいて論理通信路に関する設定が完了していないため、アクセス収容ノード８ａと８ｃとの間の論理通信路を用いた通信は停止し続ける。
【００６６】
次に、設定変更指示フレームが第二の論理リングネットワーク９０−２を一巡し、第二の論理リングネットワーク９０−２に属する全てのノードにおいて、第二の論理リングネットワークが設定されたリングポートに論理通信路９１に関する設定を追加した状態を図１３に示す。第二の論理リングネットワーク９０−２に属する全てのノードにおいて論理通信路９１に関する設定が完了することによりアクセス収容ノード８ａと８ｃとの間の論理通信路が復旧し、通信を回復する。なお、論理通信路を移設する過程において、論理ループは発生しない。
【００６７】
このように、第一の論理リングネットワークと第二の論理リングネットワークに対してそれぞれ設定変更指示フレームを送信することで全てのノードに対して設定変更指示を通知し、かつ第一の論理リングネットワークと第二の論理リングネットワークの両方に属するノードにおいては、「論理通信路の移設元となる論理リングネットワークから論理通信路に関する設定を削除」する処理を行い、前記削除処理に引き続き、「論理通信路の移設先となる論理リングネットワークに論理通信路に関する設定を追加」することにより、論理ループを発生させることなく、２つの論理リングネットワーク間で論理通信路の移設を行うことができる。
【００６８】
（リングネットワークの第２実施例：交換）  
次に具体例として、リングネットワークシステムでの交換の一例について図８、図１４から図１６を参照して説明する。ここでは図８のネットワーク構成に設定された論理リングネットワークにおいて、２つの論理通信路を交換する例を示す。  
本実施例の論理リングネットワークについて図１４を参照して説明する。  
前述の通り、第一の論理リングネットワーク９０−１と第二の論理リングネットワーク９０−２が設定される。また、論理リングネットワークには、論理通信路を設定することが可能である。ここでは、論理リングネットワーク９０−１に論理通信路９２（第一の論理通信路）を、論理リングネットワーク９０−２に論理通信路９３（第二の論理通信路）を設定している。さらに、ノード８１とアクセス収容ノード８ａとの間の物理回線８１ａには論理通信路９４ａ、ノード８１とアクセス収容ノード８ｂとの間の物理回線８１ｂには論理通信路９４ｂ、ノード８３とアクセス収容ノード８ｃとの間の物理回線８３ｃには論理通信路９４ｃ、ノード８４とアクセス収容ノード８ｄとの間の物理回線８４ｄには論理通信路９４ｄを設定している。
【００６９】
ノード８１、８３、及び、当該ノード間の通信を中継する他のノードのいずれにおいても、論理リングネットワーク９０−１に論理通信路９２を設定しているため、アクセス収容ノード８ａと８ｃは論理通信路９４ａ、論理通信路９２、論理通信路９４ｃを経由して互いに通信を行うことが可能である。また、ノード８１、８４、及び、当該ノード間の通信を中継する他のノードのいずれにおいても、論理リングネットワーク９０−２に論理通信路９３を設定しているため、アクセス収容ノード８ｂと８ｄは論理通信路９４ｂ、論理通信路９３、論理通信路９４ｄを経由して互いに通信を行うことが可能である。
【００７０】
なお、第一の論理リングネットワーク９０−１はポート８１２を閉塞ポートとし、第二の論理リングネットワーク９０−２はポート８１４を閉塞ポートとしている。このように、論理リングネットワークにおいて閉塞ポートを指定することにより、その閉塞ポートのある一つの論理リングネットワークでの論理ループの発生を回避している。
【００７１】
ここで、ノード８１を代表通信装置とし、ノード８１から設定変更指示フレームを送信することによりノード８１〜８７の全てのノードにおいて論理リングネットワークと論理通信路の対応付け設定を変更し、第一の論理リングネットワーク９０−１から第二の論理リングネットワーク９０−２に論理通信路９２を移設するとともに、第二の論理リングネットワーク９０−２から第一の論理リングネットワーク９０−１に論理通信路９３を移設する手法について述べる。すなわち、第一の論理リングネットワークと第二の論理リングネットワークとの間で論理通信路の交換を行う手法について図１４、図１５、図１６を参照して説明する。
【００７２】
論理通信路の交換は、論理リングネットワークの第１実施例で示した論理通信路の移設を、移設元の論理リングネットワークと移設先の論理リングネットワークとを入れ替えて２回実行することでも実現可能である。しかしながら、移設の過程において一時的に一方の論理リングネットワークに２つの論理通信路が共存することになり、論理リングネットワークの帯域リソース等の制約により実現できない可能性もある。本実施例では、論理リングネットワークの帯域リソース等の制限によらず、２つの論理リングネットワークの間で論理通信路の交換を行うことができる。
【００７３】
代表通信装置であるノード８１は、第一のリングネットワーク９０−１と第二のリングネットワーク９０−２に設定変更指示フレームを送信する。代表通信装置は、第一の論理リングネットワーク９０−１に設定変更指示フレームを送信し、この設定変更指示フレームが第一の論理リングネットワーク９０−１を一巡した後に、第二の論理リングネットワーク９０−２に設定変更指示フレームを送信してもよい。あるいは、代表通信装置は、第二の論理リングネットワーク９０−２に設定変更指示フレームを送信し、この設定変更指示フレームが第二の論理リングネットワーク９０−２を一巡した後に、第一の論理リングネットワーク９０−１に設定変更指示フレームを送信してもよい。あるいは、代表通信装置は、第一の論理リングネットワーク９０−１と、第二の論理リングネットワーク９０−２に設定変更指示フレームを同時に送信してもよい。いずれの設定変更指示フレーム送信方法であっても、第一の論理リングネットワークと第二の論理リングネットワークの両方に属するノードにおいて、「論理通信路の移設元となる論理リングネットワークから論理通信路に関する設定を削除」した後に「論理通信路の移設先となる論理リングネットワークに論理通信路に関する設定を追加」するため、論理ループは発生しない。ただし、設定変更指示フレームの送信方法によっては、アクセス収容ノード間の通信が停止する時間が長くなる場合がある。
【００７４】
本実施例では、第一の論理リングネットワーク９０−１に設定変更指示フレームを送信し、この設定変更指示フレームが第一の論理リングネットワーク９０−１を一巡した後に、第二の論理リングネットワーク９０−２に設定変更指示フレームを送信する場合について述べる。
【００７５】
設定変更指示フレームは、第一の論理リングネットワーク９０−１から第二の論理リングネットワーク９０−２に移設する論理通信路９２に関する設定変更指示と、第二の論理リングネットワーク９０−２から第一の論理リングネットワーク９０−１に移設する論理通信路９３に関する設定変更指示との両方を含んでもよいし、２つの設定変更指示を分けて２つの設定変更指示フレームとしてもよい。本実施例では、論理通信路９２に関する設定変更指示と論理通信路９３に関する設定変更指示が一つの設定変更指示フレームに含まれた例について述べる。  
このように本実施形態でも第１の実施形態と同様に、設定変更指示は全て設定変更指示フレームに含まれていてよい。
【００７６】
設定変更指示フレームを受信した論理通信路の移設元となる論理リングネットワークと論理通信路の移設先となる論理リングネットワークの両方に属するノードは、設定変更指示フレームで指示された「論理通信路の移設元となる論理リングネットワークが設定されているポートにおいて、論理リングネットワークから論理通信路に関する設定を削除」する処理を行い、この処理に引き続き、設定変更指示フレームで指示された「論理通信路の移設先となる論理リングネットワークが設定されているポートにおいて、論理リングネットワークに論理通信路に関する設定を追加」する処理を実行する。本実施例の場合、第一の論理リングネットワーク９０−１から論理通信路９２に関する設定、及び、第二の論理リングネットワーク９０−２から論理通信路９３に関する設定を削除し、この削除処理に引き続き、第一の論理リングネットワーク９０−１へ論理通信路９３に関する設定、及び、第二の論理リングネットワーク９０−２へ論理通信路９２に関する設定を追加する処理を実行する。
【００７７】
また、論理通信路ごとに、「論理リングネットワークから論理通信路に関する設定を削除」、「論理リングネットワークへ論理通信路に関する設定を追加」という順序が入れ替わらなければ論理ループが発生することはないため、２つ以上の論理通信路間の処理順序に制約はない。すなわち、論理通信路９２、９３のそれぞれが「論理リングネットワークから論理通信路に関する設定を削除」し、その後、「論理リングネットワークに論理通信路に関する設定を追加」するといった順序制約を満たすのであれば、例えば、第一の論理リングネットワーク９０−１から論理通信路９２に関する設定を削除する処理に引き続き第二の論理リングネットワーク９０−２へ論理通信路９２に関する設定を追加し、第二の論理リングネットワーク９０−２から論理通信路９３に関する設定を削除する処理に引き続き第一の論理リングネットワーク９０−１へ論理通信路９３に関する設定を追加する、といった順序で設定を変更してもよい。
【００７８】
次に、設定変更指示フレームが第一の論理リングネットワーク９０−１を一巡し、第一の論理リングネットワーク９０−１に属する全てのノードにおいて、第一の論理リングネットワークが設定されたポートから論理通信路９２に関する設定を削除し、第二の論理リングネットワークが設定されたポートから論理通信路９３に関する設定を削除した状態を図１５に示す。
【００７９】
本実施例では、第一の論理リングネットワーク９０−１と第二の論理リングネットワーク９０−２の両方に属するノードは、設定変更指示フレームを受信したこと契機として論理リングネットワークから論理通信路に関する設定を削除する処理に引き続き、削除した論理通信路の施設先となる論理リングネットワークに論理通信路に関する設定を追加する処理を行うため、第一の論理リングネットワーク９０−１と第二の論理リングネットワーク９０−２に属しているノード８１、８３、８４では、第二の論理リングネットワーク９０−２において論理通信路９２の設定、及び、第一の論理リングネットワーク９０−１において論理通信路９３の設定が追加されている。また、第一の論理リングネットワーク９０−１のみに属しているノード８２、８５，８６では、第一の論理リングネットワーク９０−１において論理通信路９３の設定が追加されている。第一の論理リングネットワーク９０−１に属する全てのノードにおいて論理通信路９３の設定が完了することによりアクセス収容ノード８ｂと８ｄ間の論理通信路が復旧し、通信を回復する。
【００８０】
代表通信装置であるノード８１は、第一の論理リングネットワーク９０−１を一巡した設定変更指示フレームを受信すると、論理通信路の交換対象となる論理リングネットワーク、すなわち、第二の論理リングネットワーク９０−２に設定変更指示フレームを送信する。
【００８１】
設定変更指示フレームが第二の論理リングネットワーク９０−２を一巡し、第二の論理リングネットワークが設定されたポートに論理通信路９２に関する設定を追加した状態を図１６に示す。本実施例においては、第一のリングネットワーク９０−１と第二の論理リングネットワーク９０−２の両方に属しているノード８１、８３、８４は、第一のリングネットワーク９０−１に送信される設定変更指示フレームに基づいて論理リングネットワークから論理通信路に関する設定を削除する処理に引き続き、交換対象となる論理リングネットワークに論理通信路に関する設定を追加する処理を完了している。このため、第二のリングネットワーク９０−２のみに属するノード８７のみが、第二の論理リングネットワーク９０−２に送信された設定変更指示フレームに基づき論理リングネットワークと論理通信路に関する設定変更を実施する。なお、論理通信路を交換する過程において、論理ループは発生しない。
【００８２】
以上の実施例に示したように、第一の論理リングネットワークと第二の論理リングネットワークに対してそれぞれ設定変更指示フレームを送信することで全てのノードに対して設定変更指示を通知し、かつ第一の論理リングネットワークと第二の論理リングネットワークの両方に属するノードにおいては、「論理リングネットワークから論理通信路に関する設定を削除」する処理に引き続き、交換対象となる「論理リングネットワークに論理通信路に関する設定を追加」することにより、論理ループを発生させることなく、２つの論理リングネットワーク間で論理通信路の交換を行うことができる。
【００８３】
［第２の実施形態］  
（第２のリングノード装置）  
本発明の第２の実施形態に係る第２のリングノード装置（リングノードとも称す。また単にノードとも称す）について図１７を参照して説明する。第２の実施形態のリングノード装置は、一つのポートに一つの論理通信路を設定するポートＶＬＡＮを使用し、リングに設定された全ての論理通信路を、別リングが設定されたリングポートへ移動する場合に利用するためのものである。ポートと論理通信路の関係に変更を加えることなく、別ポートに移動することになる。また、本実施形態のリングネットワークシステム、リングネットワーク変更方法も以下に説明される。  
なお、第２の実施形態に係るリングノード装置は、上述した第１及び第２実施例に適用される。
【００８４】
リングノード１７０は、複数のリングポート１７０１−１〜１７０１−ｎと、リング−ポート設定変更指示解析部１７０２と、リング−ポート対応設定状態監視部１７０３と、リング−ポート設定変更部１７０４と、論理リング設定変更部１７０５と、論理通信路設定管理部（リング）１７０６と、を備える。リングポート１７０１−１とリングポート１７０１−２とは第一の論理リングネットワークを構成するポートとし、リングポート１７０１−３とリングポート１７０１−４は第二の論理リングネットワークを構成するポートとする。ここで一般化すると、リングポート１７０１−ｎ−１とリングポート１７０１−ｎは第ｎ／２の論理リングネットワークを構成するポートにすることになる。
【００８５】
本実施形態では、第１の実施形態と同様に、移設元となる第一の論理リングネットワークから移設先となる第二の論理リングネットワークに論理通信路を移設する例について説明する。
【００８６】
設定変更指示フレームは、第１の実施形態と同様の情報を含む。すなわち、設定変更指示フレームは、「設定変更対象の論理通信路」に関する情報、「論理通信路の移設元となる論理リングネットワーク」に関する情報、及び、「論理通信路の移設先となる論理リングネットワーク」に関する情報が含まれる。リングノード１７０も、第１の実施形態と同様に、設定変更指示フレームに含まれるこれらの情報を用いてノードの設定変更を実現し、論理リングネットワークシステムの構成を変更する。例えば、論理通信路に関する情報としてＶＩＤ（ＶＬＡＮ  ＩＤ）を、論理リングネットワークに関する情報として各リングネットワークに割り当てられるリングＩＤを用いてもよい。すなわち、設定変更指示フレームは、ＶＩＤ、移設元となるリングのリングＩＤ、及び、移設先となるリングのリングＩＤを含んでもよい。
【００８７】
リング−ポート設定変更指示解析部１７０２は、リング−通信路設定変更指示解析部６２とほぼ同様である。すなわち、リング−ポート設定変更指示解析部１７０２は、リングポート１７０１−１〜１７０１−ｎのうちの１以上のポートで受信した設定変更指示フレームの指示内容を解析する。具体的にはリング−ポート設定変更指示解析部１７０２は、指示内容から、「設定変更対象の論理通信路」に関する情報、「論理通信路の移設元となる論理リングネットワーク」に関する情報と、「論理通信路の移設先となる論理リングネットワーク」に関する情報を抽出し、抽出した情報をリング−ポート設定変更部１７０４に送信する。
【００８８】
リング−ポート対応設定状態監視部１７０３は、本実施形態では、論理通信路の移設元となる論理リングネットワークと論理通信路の移設先となる論理リングネットワークとの両方に属するノードにおいて、リング−ポート設定変更部１７０４が、設定変更指示フレームの受信を契機として、「論理通信路の移設元となる論理リングネットワークから論理通信路に関する設定を削除」する処理に引き続き、リング−ポート対応設定状態監視部１７０３は、「論理通信路の移設先となる論理リングネットワークに論理通信路に関する設定を追加」する処理を実行する。設定変更を行うポートを指定するためには、論理通信路の移設元となる論理リングネットワークが設定されているポート、及び、論理通信路の移設先となる論理リングネットワークが設定されているポートに関する情報が必要となる。そこで、リング−ポート対応設定状態監視部１７０３は、論理リング設定変更部１７０５が保持している論理リングネットワークに関する設定を取得し、論理リングネットワークとポートに関する設定をリング−ポート設定変更部１７０４に送信する。
【００８９】
一方、設定変更指示フレームにより指示された指示内容が不正なものではないか、例えば、設定変更処理を適用前の設定と設定変更指示フレームにより指示された指示内容に不整合がないか、を判定するために、設定変更処理を適用前の設定を取得してもよい。この場合、リング−ポート対応設定状態監視部１７０３は、論理リング設定変更部１７０５、論理通信路設定管理部（リング）１７０６が保持している情報を取得し、リング−ポート設定変更部１７０４に送信する。
【００９０】
リング−ポート設定変更部１７０４は、リング−ポート設定変更指示解析部１７０２から受け取った「設定変更対象の論理通信路」に関する情報、「論理通信路の移設元となる論理リングネットワーク」に関する情報、及び、「論理通信路の移設先となる論理リングネットワーク」に関する情報、さらに、リング−ポート対応設定状態監視部１７０３から受け取った設定変更処理前の設定に基づき、リング−ポート対応設定を変更する。
【００９１】
論理リング設定変更部１７０５は、複数のリングポート１７０１−１〜１７０１−ｎのうち、一つもしくは二つに対し、論理リングネットワークを設定し、論理リングネットワークの状態に応じて切り替え、及び、復旧動作を実施し、リングポート１７０１−１〜１７０１−ｎ上の論理通信路における通信の導通もしくは停止状態を制御する。このとき、論理リング設定変更部１７０５は、例えばリングポート１７０１−１と１７０１−２に対して第一の論理リングネットワークを構成し、１７０１−３と１７０１−４に対して第二の論理リングネットワークを構成するといったように、リングポートを自由に組合せた複数の論理リングネットワークを構成することができる。  
すなわち、論理リング設定変更部１７０５は、リングポートと論理リングネットワークとの対応情報を有し変更を行うことで、リングに設定されている論理通信路を別ポートに変更することができる。一方、第１の実施形態では、論理リング設定通知部６５は、リングポートと論理リングネットワークとの対応情報をリング−通信路対応設定部６７に通知するのみであり、論理通信路が設定されたポートの変更に関与しない。第１の実施形態では、リング−通信路対応設定部６７が論理リングネットワークと論理通信路との対応付けを変更することで、論理通信路を別ポートに変更する。
【００９２】
論理通信路設定管理部（リング）１７０６は、論理リング設定変更部１７０５により設定された論理リングネットワークに、論理通信路を対応させる。このとき、論理通信路が論理リングネットワークと対応させられることにより、論理リングネットワークが設定されたリングポートで論理通信路を識別する識別子等が付与された通信を行うことが可能となり、かつ当該の通信は導通可能なもしくは停止状態を論理リングの状態に応じて制御されることとなる。  
その他の本実施形態の効果は、第１の実施形態に同様である。
【００９３】
次に、本実施形態の代表通信装置について図１８を参照して説明する。  
代表通信装置１８０は、図１７の機能ブロックに加え、設定変更指示部（入力）１８０１及び設定変更指示部（出力）１８０２をさらに備える。
【００９４】
設定変更指示部（出力）１８０２は、設定変更指示部（出力）７２に同様である。さらに、設定変更指示部（入力）１８０１は、設定変更指示部（入力）７１と同様である。
【００９５】
代表通信装置１８０から送信する設定変更指示フレームの送信順序に関する規定に加え、非代表通信装置のリングノード装置１７０に含まれるリング−ポート設定変更部１７０４において、「論理通信路の移設元となる論理リングネットワークから削除されていない論理通信路に関する設定を論理通信路の移設先となる論理リングネットワークに追加しない」といった制限を加えてもよい（これも第１の実施形態に同じ）。
【００９６】
これにより第２の実施形態では、第１の実施形態と同様に、設定変更指示フレームを受信したポートに関する設定変更が可能となる。また第２の実施形態では、第１の実施形態と同様に、論理リングネットワークを構成する各ノードのうち第一の論理リングネットワークと第二の論理リングネットワークの両方に属するノードは、論理通信路の移設元となる論理リングネットワークから論理通信路に関する設定を削除した後に他の論理リングネットワークに論理通信路を追加することが可能となり、結果として論理ループを発生させることなく論理リングネットワークの構成を変更することが可能となる。その他も第１の実施形態に同様の効果がある。
【００９７】
なお、設定変更指示部（入力）１８０１及び設定変更指示部（出力）１８０２は、ここでは別体として説明してあるが、同様な機能を有するならば同体でももちろん構わない。
【００９８】
以上の第２の実施形態によれば、例えば移設元となる論理リングネットワークから移設先となる論理リングネットワークへ、ポートＶＬＡＮにより設定された論理通信路を移設する場合に利用できる。第２の実施形態では、特定のポートに設定された論理通信路全てを一括して、他のポートへ移設できる。その他の第２の実施形態の効果は第１の実施形態と同様である。
【００９９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組合せてもよい。
【符号の説明】
【０１００】
１ａ、１ｂ…アクセス収容ノード、６…リングノード、リングノード装置、７…代表リングノード、代表通信装置、８ａ、８ｂ、８ｃ、８ｄ…アクセス収容ノード、１１〜１７…ノード、１１ａ、１３ｂ、１８−１〜１８−６、１９−１〜１９−３…物理回線、２０−１、２０−２…論理リングネットワーク、２１、２２ａ、２２ｂ…論理通信路、６１−１〜６１−ｎ…リングポート、６２…リング−通信路設定変更指示解析部、６３…リング−通信路対応設定状態監視部、６４…リング−通信路設定変更部、６５…論理リング設定通知部、６６…論理通信路設定管理部（ポート）、６７…リング−通信路対応設定部、７１…設定変更指示部（入力）、７２…設定変更指示部（出力）、８１〜８７…ノード、８１ａ、８１ｂ、８３ｃ、８４ｄ、８８−１〜８８−６、８９−１〜８９−４…物理回線、９０−１、９０−２…論理リングネットワーク、９１、９２、９３、９４ａ、９４ｂ、９４ｃ、９４ｄ…論理通信路、１１１〜１１５、１２１、１２２、１３１〜１３５、１４１、１４２、１５１、１５２、１６１、１６２、１７３、１７４…ポート、１７０…リングノード、リングノード装置、１８０…代表リングノード、代表通信装置、８１１〜８１４、８２１、８２２、８３１〜８３４、８４１〜８４４、８５１、８５２、８６１、８６２、８７３、８７４…リングポート、８１５、８１６、８３５、８４５…ポート、１７０１−１〜１７０１−ｎ…リングポート、１７０２…リング−ポート設定変更指示解析部、１７０３…リング−ポート対応設定状態監視部、１７０４…リング−ポート設定変更部、１７０５…論理リング設定変更部、１７０６…論理通信路設定管理部（リング）、１８０１…設定変更指示部（入力）、１８０２…設定変更指示部（出力）。
【図１】
2018046371.tif 000003
【図２】
2018046371.tif 000004
【図３】
2018046371.tif 000005
【図４】
2018046371.tif 000006
【図５】
2018046371.tif 000007
【図６】
2018046371.tif 000008
【図７】
2018046371.tif 000009
【図８】
2018046371.tif 000010
【図９】
2018046371.tif 000011
【図１０】
2018046371.tif 000012
【図１１】
2018046371.tif 000013
【図１２】
2018046371.tif 000014
【図１３】
2018046371.tif 000015
【図１４】
2018046371.tif 000016
【図１５】
2018046371.tif 000017
【図１６】
2018046371.tif 000018
【図１７】
2018046371.tif 000019
【図１８】
2018046371.tif 000020